(57)【要約】【課題】適切な空調制御を実現しつつ、ガスエンジンの駆動により余剰となった電力を効率的に系統に戻すことで高いエネルギー消費効率を実現する。【解決手段】発電機３０と、ＡＣ／ＤＣ変換部３４を備えたガスヒートポンプ式空気調和機１と、ＡＣ／ＤＣ変換部で変換された直流電力を、空気調和機１が接続された系統の交流電力に変換して該系統に戻す変換器４０とを備えた系統連系システムＳにおいて、変換器４０は、出力電力が最大となる点を追従する制御を実行すると共に、空気調和機１の運転状態に基づき、ＡＣ／ＤＣ変換部３４から変換器４０に流れる電流を当該変換器４０の出力電圧が最大となる点を追従するよう制御する。【選択図】図１
2011012848.tif 000002
【特許請求の範囲】
【請求項１】
冷凍サイクルを構成する圧縮機、発電機、及び、これら圧縮機と発電機を駆動するガスエンジンと、前記発電機にて発電された交流電力を直流電力に変換する第一の変換器と、制御手段とを備えたガスヒートポンプ式空気調和機と、前記第一の変換器で変換された直流電力を、前記空気調和機が接続された系統の規定周波数交流電力に変換して当該系統に戻す第二の変換器とを備えた系統連系システムにおいて、
前記第二の変換器は、出力電力が最大となる点を追従する制御を実行すると共に、
前記制御手段は、前記空気調和機の運転状態に基づき、前記第一の変換器から前記第二の変換器に流れる電流を、当該第二の変換器の出力電力が最大となる点を追従するよう制御することを特徴とするガスヒートポンプ式空気調和機を用いた系統連系システム。
【発明の詳細な説明】
【技術分野】
【０００１】
本発明は、冷凍サイクルを構成する圧縮機と、発電機と、これら圧縮機、発電機を駆動するガスエンジンを備えたガスヒートポンプ式空気調和機を用い、発電機により発電された電力を系統に戻すことを可能とした系統連系システムに関するものである。
【背景技術】
【０００２】
従来より、ガスヒートポンプ（ＧＨＰ）式の空気調和機には、冷凍サイクルを構成する圧縮機をガスエンジンで駆動して空調運転を実行すると共に、ガスエンジンで発電機を駆動して発電電力を蓄電池に充電又は各送風機などの補機に並列に供給してこれらの運転を行う。補機へは、昇降圧装置やインバータを用いることで、商用電源（例えば、ＡＣ２００Ｖ５０Ｈｚ又は６０Ｈｚ）と同じ電力に変換して供給する（例えば特許文献１参照）。
【０００３】
一方、昨今では、太陽電池による分散型の電源を商用電力系統（配電系統）に連系させる太陽光発電システムが開発されている。この太陽光発電システムでは、太陽電池により発電された直流電力を系統連系インバータ装置（所謂パワーコンディショナー）の昇圧回路にて昇圧し、昇圧された直流電力をインバータ回路にて交流電力に変換し、変換された交流電力を制御手段により制御し、商用電力系統に供給する。
【０００４】
この場合、太陽電池の出力電圧−出力電流特性は、図４に示すような曲線で表わされる。太陽電池の出力電圧が０Ｖから所定電圧までの間は出力電力は徐々に増加し、この所定電圧を超えると出力電力は徐々に減少する。この所定電圧時における出力電力は当該太陽電池の最大電力となり、この部分を最大電力点Ｐｍという。このような特性を有する太陽電池から最大電力を取り出す制御として、インバータ回路にて太陽電池の動作点が常に最大電力点Ｐｍを追尾するように変化させる最大電力追尾制御（Ｍａｘｉｍｕｍ Ｐｏｗｅｒ Ｐｏｉｎｔ Ｔｒａｃｋｉｎｇ（以下、「ＭＰＰＴ制御」という）が知られている（特許文献２参照）。
【０００５】
このＭＰＰＴ制御は、太陽電池の動作電圧の制御目標値となる電圧指令値を一定時間間隔で微少変化させて、この際の太陽電池の出力電力を計測して前回の計測値との比較を行い、常に出力電力が大きくなる方向に上記電圧指令値を変化させるという手順によって、太陽電池の動作点を最大電力点（最適動作点）に近づけるものである。
【先行技術文献】
【特許文献】
【０００６】
【特許文献１】特開２００８−１０７０００号公報
【特許文献２】特開平１１−２８２５５３号公報
【発明の概要】
【発明が解決しようとする課題】
【０００７】
ここで、上記太陽光発電用のパワーコンディショナーを用いて、ＧＨＰ式の空気調和機の発電機により発電された電力を商用電源に変換して、当該空気調和機における補機以外にも、例えば、同一施設内における照明や他の負荷に供給することが考えられる。上述したようなＭＰＰＴ制御を実行する太陽光発電用のパワーコンディショナーは、日照状況によって変化する太陽電池からの発電電力を効率的に出力させることを可能とするものである。そのため、パワーコンディショナーの要求に応じて、ＧＨＰ式の空気調和機の発電機から出力される電力を制御すると、空気調和機における空調負荷にかかわらず、多大な電流がパワーコンディショナーに取り込まれる。
【０００８】
これによって、発電機の負荷が増え、ガスエンジンが圧縮機を駆動する駆動力が不足し、空調不良を招来する。また、ガスエンジンへの過負荷を招き、最悪の場合、エンジン停止を生じる。
【０００９】
本発明は従来の技術的課題を解決するためになされたものであり、適切な空調制御を実現しつつ、ガスエンジンの駆動により余剰となった電力を効率的に系統に戻すことで高いエネルギー消費効率を実現する。
【課題を解決するための手段】
【００１０】
上記課題を解決するために、本発明の系統連系システムは、冷凍サイクルを構成する圧縮機、発電機、及び、これら圧縮機と発電機を駆動するガスエンジンと、発電機にて発電された交流電力を直流電力に変換する第一の変換器と、制御手段とを備えたガスヒートポンプ式空気調和機と、第一の変換器で変換された直流電力を、空気調和機が接続された系統の規定周波数交流電力に変換して当該系統に戻す第二の変換器とを備えたものであって、第二の変換器は、出力電力が最大となる点を追従する制御を実行すると共に、制御手段は、空気調和機の運転状態に基づき、第一の変換器から第二の変換器に流れる電流を、当該第二の変換器の出力電力が最大となる点を追従するよう制御することを特徴とする。
【発明の効果】
【００１１】
本発明によれば、冷凍サイクルを構成する圧縮機、発電機、及び、これら圧縮機と発電機を駆動するガスエンジンと、発電機にて発電された交流電力を直流電力に変換する第一の変換器と、制御手段とを備えたガスヒートポンプ式空気調和機と、第一の変換器で変換された直流電力を、空気調和機が接続された系統の規定周波数交流電力に変換して当該系統に戻す第二の変換器とを備えた系統連系システムにおいて、第二の変換器は、出力電力が最大となる点を追従する制御を実行すると共に、制御手段は、空気調和機の運転状態に基づき、第一の変換器から第二の変換器に流れる電流を、当該第二の変換器の出力電力が最大となる点を追従するよう制御するので、多大な電流が第二の変換器に取り込まれ、発電機の負荷が増え、ガスエンジンが圧縮機を駆動する駆動力が不足する不都合を回避することが可能となる。
【００１２】
これにより、圧縮機を駆動するガスエンジンの余力にて発電機を駆動させることができ、圧縮機による空調制御に支障を来すことなく、且つ、ガスエンジンの駆動により余剰となった電力を効率的に系統に戻すことが可能となり、高いエネルギー消費効率を実現することができる。
【００１３】
特に、第二の変換器が出力電力が最大となる点を追従する制御、即ち、ＭＰＰＴ制御を実行するものであり、制御手段は、空気調和機の運転状態に基づいて、第一の変換器から当該第二の変換器に流れる電流を、当該第二の変換器の出力電力が最大となる点を追従するよう制御することができる。
【００１４】
これにより、圧縮機による空調制御を円滑に実行することができると共に、第一の変換器から第二の変換器に流れる電流を、第二の変換器において効率的にＭＰＰＴ制御を実行できるような電流となるように制御するため、ガスエンジン駆動により余剰となった電力をより効率的に系統に供給でき、効率的な運転を実現することが可能となる。
【図面の簡単な説明】
【００１５】
【図１】ガスヒートポンプ式空気調和機を用いた系統連系システムの概略構成図である。
【図２】ガスヒートポンプ式空気調和機の概略構成図である。
【図３】ＡＣ／ＤＣ変換部からパワーコンディショナーに流れる電流制御のフローチャートである。
【図４】太陽光発電用パワーコンディショナーにおける太陽電池の出力電圧−出力電流特性を示す図である。
【発明を実施するための形態】
【００１６】
以下、本発明のガスヒートポンプ式空気調和機１を用いた系統連系システムＳの実施形態について図面を参照して説明する。図１はガスヒートポンプ式空気調和機１を用いた系統連系システムＳの概略構成図、図２はガスヒートポンプ式空気調和機１の概略構成図を示している。本実施例における系統連系システムＳは、ガスヒートポンプ式空気調和機１と、太陽光発電用のパワーコンディショナー４０とを備えている。
【００１７】
ガスヒートポンプ式空気調和機１は、屋外に設置される室外ユニット２と、室内に配置され、室内側熱交換器（利用側熱交換器）が設けられる例えば壁掛け型の室内ユニット３とから成り、両者は図示しないサービスバルブを介して冷媒管（液管４Ａ及びガス管４Ｂ）により接続される。尚、図中室外ユニット２は、二点鎖線で、室内ユニット３は一点鎖線で示している。
【００１８】
室外ユニット２は、冷凍サイクルを構成する圧縮機１２と、発電機３０と、圧縮機１２及び発電機３０を駆動するガスエンジン１０と、制御装置（制御手段）Ｃを有した空調電装部３５とを備えている。
【００１９】
冷凍サイクルは、室外ユニット２に配設される圧縮機１２と、アキュムレータ１３と、四方弁２３と、室外側熱交換器（熱源側熱交換器）１７、減圧手段としての膨張弁２４と、室内ユニット３に配設される室内側熱交換器（利用側熱交換器）１５により構成される。圧縮機１２の吸込側にはアキュムレータ１３が接続され、吐出側には、四方弁２３が接続される。この四方弁２３が接続される側には、室外熱交換器１７及び膨張弁２４が順次接続され、サービスバルブが設けられた液管４Ａを介して室内側熱交換器１５が接続される。この室内側熱交換器１５の冷媒出口側には、サービスバルブが設けられたガス管４Ｂが接続され、当該ガス管４Ｂは、四方弁２３に接続されている。これにより環状の冷凍サイクルが構成される。圧縮機１２、膨張弁２４、四方弁２３等は空調電装部３５の制御装置Ｃに接続され、これにより制御される。
【００２０】
室外ユニット２に配設される室外側熱交換器１７の近傍には、室外側熱交換器１７に送風する室外側送風機１８が配設されている。また、室内ユニット３に配設される室内側熱交換器１５の近傍には、室内側熱交換器１５に送風する室内側送風機１６が配設されている。これら送風機１６、１８には、原則として詳細は後述するようにパワーコンディショナー４０にて給電された空調電装部３５を介して電力が供給され、当該空調電装部３５の制御装置Ｃにより運転制御される。ここで、空調電装部３５には、商用電源４１からの電力供給を行うための商用電力系統（ＡＣライン）４４が接続されており、発電機３０にて発電が行われていない場合には空調電装部３５には、商用電源４１から電力が供給される。
【００２１】
そのため、ガスヒートポンプ式空気調和機１は、空調電装部３５の制御装置Ｃによって四方弁２３が切り替えられることにより、冷房運転又は暖房運転に設定される。即ち、四方弁２３が冷房運転側に切り替えられると、冷凍サイクルを循環する冷媒は、破線矢印の如く圧縮機１２から吐出された後、凝縮器として作用する室外側熱交換器１７内に流入して放熱した後、膨張弁２４にて減圧されて、蒸発器として作用する室内側熱交換器１５内に流入して蒸発して冷却作用を発揮した後、圧縮機１２に帰還する。これにより、室内側熱交換器１５によって被調和室内を冷却する。他方、四方弁２３が暖房運転側に切り替えられると、冷媒回路内に封入された冷媒は、実線矢印の如く圧縮機１２から吐出された後、凝縮器として作用する室内側熱交換器１５内に流入して放熱した後、膨張弁２４にて減圧されて、蒸発器として作用する室外側熱交換器１７内に流入して蒸発した後、圧縮機１２に帰還する。これにより、室内側熱交換器１５によって室内を暖房する。
【００２２】
この圧縮機１２は、ガスエンジン１０に対し、電磁式のクラッチ（伝達手段）１４を介して接離可能に接続され、このガスエンジン１０の駆動力により冷媒を圧縮する。発電機３０はガスエンジン１０の駆動力により発電する機能を有しており、クラッチ１４が切り離された場合であっても、ガスエンジン１０の駆動によって発電機３０は発電システムとして充分な電力を供給可能とされる。
【００２３】
一方、前記室外ユニット２に設けられるガスエンジン１０は、燃料供給系から供給された燃料ガスによって稼働される。即ち、ガスエンジン１０には燃料供給管２５が接続され、この燃料供給管２５には空調電装部３５の制御装置Ｃにて開閉制御される燃料遮断弁２６、ゼロガバナ２７及び燃料調整弁２８が順次接続されている。
【００２４】
燃料遮断弁２６は、全閉又は全開することにより、燃料ガスの遮断と、流通が択一的に制御される。ゼロガバナ２７は燃料供給管２５内で、燃料遮断弁２６側が開閉制御によって圧力変動を生じても、燃料調整弁２８側にてガスエンジン１０への燃料供給を一定圧力に調整する。そして、燃料調整弁２８は、燃料ガスと空気とを混合して生成される混合ガスの空燃比を最適に調整するものである。
【００２５】
ガスエンジン１０は、室外ユニット２に設けられて、上記燃料供給系から供給されるガスを燃焼させて駆動力を発生させ、この駆動力によって、上記圧縮機１２を駆動させる。ガスの燃焼によって生じた廃熱は、循環されるエンジン冷却水によって冷却される構成とされている。即ち、ガスエンジン１０の冷却水経路５は、エンジン冷却水を循環させる冷却水ポンプ２１と、エンジン冷却水の放熱を行わせるためのラジエータ１９とから構成されている。ラジエータ１９には、ラジエータ用送風機２０が並設されており、このラジエータ用送風機２０によってラジエータ１９へ送風することにより、冷却水の放熱を促進している。尚、冷却水ポンプ２１及びラジエータ用送風機２０は、空調電装部３５の制御装置Ｃにより制御される。
【００２６】
これにより、冷却水ポンプ２１がガスエンジン１０の駆動中に常時運転されることにより、エンジン冷却水は、ガスエンジン１０、冷却水ポンプ２１、ラジエータ１９とを順次経て当該冷却水経路５を循環することにより、ガスエンジン１０を冷却する。
【００２７】
ここで、発電機３０による発電系統について説明する。この発電機３０には、第一の変換器としてのＡＣ／ＤＣ変換部３４がＡＣライン４２を介して接続されている。このＡＣ／ＤＣ変換部３４は、発電機３０にて発電された三相交流電力を整流して直流電力に変換し、一定の出力、例えば３００Ｖを出力する昇圧コンバータにより構成される。そして、このＡＣ／ＤＣ変換部３４は、ＤＣライン４３を介して第二の変換器として用いられる太陽光発電用のパワーコンディショナー４０が接続される。
【００２８】
この太陽光発電用のパワーコンディショナー４０は、昇圧された直流電力を交流電力に変換するインバータ回路４０Ａを備えており、このパワーコンディショナー４０は、ＡＣライン４５を介して前記商用電力系統４４に接続される。本実施例におけるパワーコンディショナー４０は、汎用されている太陽光発電用のパワーコンディショナーであるため、通常、太陽電池から最大電力を取り出すように、太陽電池の動作点が常に最大電力点を追尾するように変化させる最大電力追尾制御であるＭＰＰＴ制御を実行する。この場合、ＤＣライン４３を介して接続されるＡＣ／ＤＣ変換部３４から最大電力を取り出すように、ＭＰＰＴ制御が実行される。
【００２９】
以下、図３のフローチャートを参照して冷房運転を例に挙げて空調制御時の系統連系システムＳの動作について説明する。空調電装部３５の制御装置Ｃは、室内ユニット３に接続されたリモートコントローラから通信線を介して運転開始の指示が入力された場合、本実施例では、室内側熱交換器１５の吸込空気温度を検出する温度センサ３７からの入力に基づきリアルタイムで空調負荷を取得する。そして、当該空調負荷に対応する空調優先の運転能力となるようにガスエンジン１０の回転数を特定し、この回転数となるようにガスエンジン１０の回転数を制御する。
【００３０】
これにより、制御装置Ｃは、クラッチ１４にて当該ガスエンジン１０と接続される圧縮機１２及び発電機３０が駆動される。制御装置Ｃは、上記温度センサ３７の検出温度に基づいて圧縮機１２の発停制御及び回転数制御を実行すべく、ガスエンジン１０の回転数制御を行う。
【００３１】
また、ガスエンジン１０には、発電機３０が接続されていることから、ガスエンジン１０から発電機３０に伝達された動力は、電気エネルギーに変換され、三相交流電力としてＡＣライン４２を介してＡＣ／ＤＣ変換部３４に出力される。このＡＣ／ＤＣ変換部３４は昇圧コンバータにより発電機３０からの三相交流電力を整流して直流電力に変換した後、一定の出力、本実施例では３００ＶをＤＣライン４３を介して太陽光発電用のパワーコンディショナー４０に出力する。当該パワーコンディショナー４０に入力された直流電力は、規定周波数の所定の交流電力（本実施例では、ＡＣ２００Ｖ５０Ｈｚ又は６０Ｈｚ）に変換され、ＡＣライン４５を介して商用電力系統４４に回生される。そして、商用電力系統４４に接続された空調電装部３５を介して、送風機１６等の補機へ電力が供給される。
【００３２】
ここで、制御装置Ｃは、図３のフローチャートに示すように、ステップＳ１においてガスエンジン１０が駆動しているか否かを判断する。ガスエンジン１０が駆動している場合には、ステップＳ２に進み、先ずガスエンジン１０の現在の回転数を取得する。制御装置Ｃには、予めガスエンジン１０の回転数に応じたＡＣ／ＤＣ変換部３４に入力される最大発電量Ｐｍａｘが記憶されている。
【００３３】
本実施例では、ガスエンジン１０の回転数は、上述したように空気調和機１の運転状態、即ち、温度センサ３７の検出温度に基づいて圧縮機１２を最適な回転数にて運転すべく制御される。そのため、当該最大発電量Ｐｍａｘは、圧縮機１２を運転するために駆動されるガスエンジン１０の余剰の駆動力によって発電機３０により発電可能とする発電量である。即ち、ガスエンジン１０により駆動される発電機３０は、ガスエンジン１０の回転数が高い場合には、高い電圧が出力され、このときの最大発電量Ｐｍａｘも大きくなり、回転数が低い場合には、低い電圧が出力され、このときの最大発電量Ｐｍａｘも小さくなる。
【００３４】
これにより、制御装置Ｃは、ガスエンジン１０の現在の回転数に対応するＡＣ／ＤＣ変換部３４に入力される最大発電量Ｐｍａｘを取得する。そして、制御装置Ｃは、ステップＳ３に進み、現在、発電機３０からＡＣ／ＤＣ変換部３４に入力される発電量Ｐを検出し、当該発電量ＰがステップＳ２において取得した最大発電量Ｐｍａｘより大きいか否かを判断する。
【００３５】
最大発電量Ｐｍａｘよりも現在、ＡＣ／ＤＣ変換部３４に入力される交流発電量Ｐが大きい場合には、ステップＳ４に進み、ＡＣ／ＤＣ変換部３４からＤＣライン４３を介して太陽光発電用のパワーコンディショナー４０に流れる電流を一段階（所定の１ステップ）制限する。
【００３６】
具体的には、ＡＣ／ＤＣ変換部３４に発電機３０から入力された三相交流電力を整流し３００Ｖの直流電力に変換し、制御装置Ｃから供給される電流制限信号に基づき、当該ＡＣ／ＤＣ変換部３４からパワーコンディショナー４０に出力される直流電流を所定のディーティ比に応じてＯＮ／ＯＦＦ制御（チョッパー制御）する。これにより、ＡＣ／ＤＣ変換部３４からパワーコンディショナー４０に流れる電流が一段階制限される。この際、制御装置Ｃは、ＡＣ／ＤＣ変換器３４からパワーコンディショナー４０に出力される直流電流が、ＭＰＰＴ制御を実行するパワーコンディショナー４０において出力電力が最大となる点を追従するように制御して出力する。その後、ステップＳ１に戻る。
【００３７】
これにより、ＡＣ／ＤＣ変換部３４からパワーコンディショナー４０に流れる電流を段階的に制限していくことにより、パワーコンディショナー４０には、圧縮機１２を駆動するガスエンジン１０の余力にて発電機３０により発電された電力が供給されることとなる。また、パワーコンディショナー４０には、ＡＣ／ＤＣ変換部３４において、当該パワーコンディショナー４０で効率的にＭＰＰＴ制御を実行できるような電流となるように制御された電流が出力されるので、より効率的にガスエンジン駆動により余剰となった電力をより系統に供給でき、効率的な運転を実現することが可能となる。
【００３８】
他方、ステップＳ３において、現在、ＡＣ／ＤＣ変換部３４に入力される交流発電量Ｐが最大発電量Ｐｍａｘ以下である場合には、ステップＳ５に進み、ステップＳ４における出力電流の制限をリセットし、ステップＳ１に戻る。
【００３９】
これにより、空調負荷（空気調和機１の運転状態）に基づき駆動制御されるガスエンジン１０の回転数に応じて、その余剰の駆動力によって発電された電力を、パワーコンディショナー４０で効率的にＭＰＰＴ制御を実行できるような電流となるようにＡＣ／ＤＣ変換部３４にて制御してパワーコンディショナー４０に出力することができる。
【００４０】
そのため、本実施例において採用される第二の変換器としてのパワーコンディショナー４０は、出力電力が最大となる点を追従する制御、即ちＭＰＰＴ制御を実行する太陽光発電用のパワーコンディショナーであるが、上述したように、制御装置Ｃは、空気調和機１の運転状態に基づいてＡＣ／ＤＣ変換部３４からパワーコンディショナー４０に出力される直流電力がＭＰＰＴ制御を効率的に実行できるように調整するので、多大な電流がパワーコンディショナー４０に取り込まれ、発電機３０の負荷が増え、ガスエンジン１０が圧縮機１２を駆動する駆動力が不足する不都合を回避することが可能となる。
【００４１】
従って、ＭＰＰＴ制御を実行するパワーコンディショナー４０がＡＣ／ＤＣ変換部３４に接続されていても、圧縮機１２を駆動するガスエンジン１０の余力にて発電機３０を駆動させることができる。
【００４２】
これにより、発電機３０の負荷が増えて、ガスエンジン１０が圧縮機１２を駆動する駆動力が不足し、空調制御に支障を来す不都合を回避できる。これにより、圧縮機１２による空調制御を円滑に実行することができると共に、ガスエンジン１０への過負荷を回避でき、エンジン停止などの不都合を未然に回避することができる。また、ガスエンジン１０の駆動により余剰となった電力を効率的に系統に戻すことが可能となり、高いエネルギー消費効率にて、空調運転を実現することができる。
【００４３】
尚、本実施例では、制御装置Ｃは、発電機３０からＡＣ／ＤＣ変換部３４に入力される交流電力量を監視し、当該交流電力量がガスエンジン１０の回転数に対して予め記憶されたＡＣ／ＤＣ変換部３４に入力される最大発電量Ｐｍａｘより大きいか否かによってＡＣ／ＤＣ変換部３４からパワーコンディショナー４０に出力される直流電流を制限しているが、これに限定されるものではなく、例えば、ＡＣ／ＤＣ変換部３４からパワーコンディショナー４０に出力される直流電力量を監視し、当該直流電力量がガスエンジン１０の回転数に対して予め記憶されたＡＣ／ＤＣ変換部３４からパワーコンディショナー４０に出力される最大発電量Ｐｍａｘより大きいか否かによってＡＣ／ＤＣ変換部３４からパワーコンディショナー４０に出力される直流電流を制限してもよい。
【００４４】
このように、本実施例では、ガスエンジン１０により圧縮機１２を駆動し、余剰となった駆動力によって発電機３０を駆動させる空気調和機１において、当該発電機３０にて発電された電力を汎用性の高い太陽光発電用のパワーコンディショナー４０を用いて商用電力系統に戻すことが可能となる。
【００４５】
特に、本願発明によれば、パワーコンディショナー４０側における設定を変更することなく、空気調和機１における運転状態に基づいて、空気調和機１側のＡＣ／ＤＣ変換部３４においてパワーコンディショナー４０へ出力される電流を制限できることから、既存のパワーコンディショナーを用いて本願の系統連系システムＳを構築でき、汎用性の拡大を図ることができる。
【００４６】
尚、上記実施例では、太陽光発電用のパワーコンディショナーを第二の変換器として用いているが、これに限定されるものではなく、例えば、風力発電用のパワーコンディショナーを用いても良い。
【符号の説明】
【００４７】
Ｓ    系統連系システム
１    ガスヒートポンプ式空気調和機
２    室外ユニット
３    室内ユニット
１０    ガスエンジン
１２    圧縮機
１４    クラッチ（伝達手段）
１５    室内側熱交換器（利用側熱交換器）
１６    室内側送風機
１７    室外側熱交換器（熱源側熱交換器）
１８    室外側送風機
２５    燃料供給管
３０    発電機
３４    ＡＣ／ＤＣ変換部
４０    太陽光発電用のパワーコンディショナー
４０Ａ  インバータ回路
４１    商用電源
４２    ＡＣライン
４３    ＤＣライン
４４    商用電力系統（ＡＣライン）
【図１】
2011012848.tif 000003
【図２】
2011012848.tif 000004
【図３】
2011012848.tif 000005
【図４】
2011012848.tif 000006